(57)【要約】【課題】吊り下げて陳列する際の作業性が良く、また、多数積み重ねて梱包する際に余分な梱包容積が不要となる商品陳列ケースを提供する。【解決手段】ケース１の背面板５に上端部が開放された吊り下げ片収納凹部７が設けられ、この収納凹部７の左右両側面に上端の閉塞した上下方向のガイド溝８が設けられる。吊り下げ孔１２と、前記ガイド溝８に係合する係合部１３とを有する吊り下げ片３が前記収納凹部７に所定のスライド範囲をもって上下方向にスライド自在に収納される。この吊り下げ片３が前記収納凹部の上端に引き上げられた状態で、吊り下げ片３の吊り下げ孔１２がケース１の上端部から突き出す。突き出した吊り下げ孔１２を商品陳列台などの吊り下げ棒３０に通し、商品陳列ケースを吊り下げて陳列することができる。【選択図】図１
2007161338.tif 000002
【特許請求の範囲】
【請求項１】
蓋（２）を備えたケース（１）に吊り下げ部が突き出して設けられた商品陳列ケースにおいて、
上記吊り下げ部は、上記ケース（１）と別体の吊り下げ片（３）からなり、この吊り下げ片（３）はフック部（１２）を有し、上記ケース（１）の背面板（５）に上端部が開放された吊り下げ片収納凹部（７）が設けられ、前記吊り下げ片（３）が前記吊り下げ片収納凹部（７）に所定のスライド範囲をもって上下方向にスライド自在に収納され、前記スライド範囲は、前記吊り下げ片（３）が前記吊り下げ片収納凹部（７）の上端に引き上げられた状態で、その吊り下げ片（３）のフック部（１２）が前記ケース（１）の上端部から突き出す範囲に設定されたことを特徴とする商品陳列ケース。
【請求項２】
上記吊り下げ片収納凹部（７）に上記吊り下げ片（３）がスライド自在に係合するガイド溝（８）が形成され、このガイド溝（８）の上端部に、開口幅が上方に向かって小さく形成されたくさび部（１６）が設けられ、前記吊り下げ片（３）が前記吊り下げ片収納凹部（７）の上端部に引き上げられた場合に、前記吊り下げ片（３）の係合部（１３）が前記くさび部（１６）に挟持されたことを特徴とする請求項１に記載の商品陳列ケース。
【請求項３】
上記ケース（１）の左右両側壁の内側にガイド部（１４）が対向して設けられ、この各ガイド部（１４）に仕切り板（４）が着脱自在に取り付けられたことを特徴とする請求項１または２に記載の商品陳列ケース。
【発明の詳細な説明】
【技術分野】
【０００１】
この発明は、商品を収納して陳列する商品陳列ケースに関する。特に、商品を収納した状態で吊り下げて陳列する商品陳列ケースに関する。
【背景技術】
【０００２】
一般に、化粧用品や、文具などの小型の商品は、透明または半透明のプラスチック製の蓋を備えた商品陳列ケースに入れられ、これらの商品の入った商品陳列ケースが、店頭に陳列され販売されている。
【０００３】
上記の商品陳列ケースを店頭に陳列するために、商品を入れた商品陳列ケースを上端部に吊り下げ孔を設けたフィルム製の袋に入れ、その袋の吊り下げ孔に先端が上向きに折り曲げられた吊り下げ棒を通すことにより、商品陳列台に吊り下げて陳列するものがある。また、ある程度厚みのある商品陳列ケース自体に前後方向に貫通する吊り下げ孔を設け、この吊り下げ孔に商品陳列台の吊り下げ棒を通してその容器を吊り下げて陳列するものもある。
【０００４】
上記のフィルム製の袋に入れて陳列する商品陳列ケースは、これをあらかじめフィルム製の袋に入れる作業が必要となるため作業性が悪く、また、そのフィルム製の袋を必要とする分コスト高となるという問題があった。
【０００５】
上記の商品陳列ケース自体に吊り下げ孔を設けた商品陳列ケースは、上向きに曲げられた吊り下げ棒の先端部分にその吊り下げ孔を通す際に、商品陳列ケース自体にある程度の厚みがある場合には、商品陳列ケースを傾けた状態を保ちながら通す必要があるだけでなく、多数の商品陳列ケースを吊り下げるには時間がかかり、作業性が悪いという問題があった。また、その吊り下げ孔を形成する専用スペースが必要なことから、その分デッドスペースとなる。さらに、前記商品陳列ケースを多数重ねて梱包すると、吊り下げ孔の周辺部分によって、余分な梱包容積が必要になるという問題があった。
【０００６】
上記の問題を解決するために、従来から、蓋を備えたケースの上端部に吊り下げ部を突き出して設けた商品陳列ケースが知られている（特許文献１参照）。
【特許文献１】特開平８−２７６９３８号公報
【０００７】
上記特許文献１の商品陳列ケースは、板状の吊り下げ部を根元で折り曲げることができ、その折り曲げた吊り下げ部がケース上端面からはみ出さないように形成されたものである。これにより、この商品陳列ケースを吊り下げる際には、その吊り下げ部を起こして、前述の吊り下げ棒などに通して吊り下げることができるだけでなく、前記吊り下げ部は板状に形成されたものであるため、商品陳列ケースを傾けずに吊り下げることができる。
【０００８】
また、ケースの上端部に吊り下げ部が突き出して設けられているので、商品陳列ケースの商品収納スペースが確保でき、デッドスペースがなくなる。また、この商品陳列ケースは、梱包する際に、その吊り下げ部を折り曲げた状態で順次重ねることができるので、余分な梱包容積を小さくすることができる。
【発明の開示】
【発明が解決しようとする課題】
【０００９】
上記の特許文献１の商品陳列ケースは、その吊り下げ部の根元部分を他の部分よりも肉厚を薄く形成することで折り曲げることができるものの、その頻度が増えると肉厚の薄い部分が破断し、吊り下げ部がちぎれてしまうおそれがあった。
【００１０】
また、この商品陳列ケースを吊り下げるには、いちいち吊り下げ部を起こす必要があるだけでなく、その吊り下げ部を起こした状態に保って吊り下げる必要があるので、多数の商品陳列ケースを吊り下げる場合に、時間がかかるという問題があった。
【００１１】
さらに、この商品陳列ケースは、折り曲げた吊り下げ部がケースから突き出しているので、梱包するため重ねると、折り曲げた吊り下げ部の厚み分だけ、余分な梱包容積が必要となる。
【００１２】
そこで、この発明は、吊り下げて陳列する際の作業性が良く、また、多数重ねて梱包する際に余分な梱包容積が不要となる商品陳列ケースを提供することを課題とする。
【課題を解決するための手段】
【００１３】
前記の課題を解決するために、この発明では、蓋を備えたケースに吊り下げ部が突き出して設けられた商品陳列ケースにおいて、前記吊り下げ部は、前記ケースと別体の吊り下げ片からなり、この吊り下げ片はフック部を有し、前記ケースの背面部に上端部が開放された吊り下げ片収納凹部が設けられ、前記吊り下げ片が前記吊り下げ片収納凹部に所定のスライド範囲をもって上下方向にスライド自在に収納され、前記スライド範囲は、前記吊り下げ片が前記吊り下げ片収納凹部の上端に引き上げられた状態で、その吊り下げ片のフック部が前記ケースの上端部から突き出す範囲に設定された構成を採用した。
【００１４】
この構成によると、上記吊り下げ片を吊り下げ片収納凹部の上端部に引き上げると、前記吊り下げ片のフック部が前記ケースの上端部よりも上に突き出す。この突き出した吊り下げ片のフック部に吊り下げ棒を通すことで商品陳列ケースを吊り下げて陳列することができる。
【００１５】
一方、上記吊り下げ片を吊り下げ片収納凹部の下端部にスライドさせると、吊り下げ片が吊り下げ片収納凹部に収納されるので、吊り下げ片の上端部がケースの上端部から突出せず、この商品陳列ケースを多数重ねて梱包しても、その梱包容積は、重ねた商品陳列ケース自体の容積分ですみ、余分な梱包容積を省くことができる。
【００１６】
また、上記構成において、上記吊り下げ片収納凹部に上記吊り下げ片がスライド自在に係合するガイド溝が形成され、このガイド溝の上端部に、上方に向かって開口幅が小さく形成されたくさび部が設けられ、前記吊り下げ片が前記吊り下げ片収納凹部の上端部に引き上げられた場合に、前記吊り下げ片の係合部が前記くさび部に挟持された構成を採用することもできる。
【００１７】
これにより、吊り下げ片が吊り下げ片収納凹部の上端部に引き上げられると、この吊り下げ片がガイド溝のくさび部に挟持され、そのフック部が前記ケースの上端部よりも上に突き出した状態で保たれる。このため、吊り下げ片のフック部を吊り下げ棒などに通すことで容易に商品陳列ケースを吊り下げて陳列することができる。
【００１８】
また、上記ケースの左右両側壁の内側にガイド部が対向して設けられ、この各ガイド部に仕切り板が着脱自在に取り付けられた構成とすると、所定の長さを有する商品を前記仕切り板とケース下面との間で揃えて収納することができる。
【発明の効果】
【００１９】
この発明は、以上のように構成したので、上記吊り下げ片をそのフック部がケースの上端部よりも上に突き出した状態に保つことができ、そのフック部を吊り下げ棒などに通して、商品陳列ケースを容易に吊り下げて陳列することができるので、吊り下げる際の作業性が向上する。
【００２０】
また、吊り下げ片を吊り下げ片収納凹部の下端部にスライドさせると、吊り下げ片の上端部がケースの上端部から突出しないので、この商品陳列ケースを多数重ねて梱包しても、梱包容積が重ねた商品陳列ケース自体の容積分ですみ、余分な梱包容積が不要となる。
【発明を実施するための最良の形態】
【００２１】
以下、この発明の実施形態を添付図面に基づいて説明する。
商品陳列ケースは、図１、図２に示すように、プラスチック製の透明なケース１と、このケース１に嵌め合わされる蓋２と、ケース１にスライド自在に取り付けられる吊り下げ片３と、前記ケース１内部に取り付けられる仕切り板４とから構成され、商品陳列台などの吊り下げ棒３０に前記吊り下げ片３を通して吊り下げて陳列されるものである。
【００２２】
上記ケース１は、上部に半円部分を有する矩形の背面板５と、その背面板５の外縁の全周にわたり突き出して設けられる側壁６と、前記背面板５の半円部分に凹んで設けられる上端が開放した吊り下げ片収納凹部７とからなる。
【００２３】
上記側壁６は、ケース１の背面板５の外縁から所定幅内側に直角に突き出して設けられる。これにより、上記蓋２をケース１に嵌め合わせた際に、背面板５の外縁に蓋２の側壁１１の端部が当たるので、背面板５の吊り下げ片収納凹部７に収納される吊り下げ片３が蓋２の側壁１１に当たらない。
【００２４】
上記背面板５の吊り下げ片収納凹部７（以下、収納凹部という。）は、図３に示すように、背面板５の半円部分に所定幅ａおよび所定深さをもって凹んで設けられ、その上端部が開放したものである。この収納凹部７の左右両側面には、上端が閉塞する上下方向のガイド溝８、８が設けられる。
【００２５】
上記ガイド溝８、８は、その上端部にくさび部１６が設けられる。このくさび部１６は、その開口幅が上端部に向かって小さくなるように形成されたものである（図６参照）。そのくさび部１６の開口幅は、後述する吊り下げ片３の係合部１３の厚みよりも小さく形成され、ガイド溝８のその他の部分の開口幅は、前記吊り下げ片３の係合部１３の厚みよりも大きく形成される。これにより、吊り下げ片３の係合部１３をガイド溝８に係合して、この吊り下げ片３を収納凹部７で上下方向にスライドさせることができる。
【００２６】
また、この吊り下げ片３を上方にスライドさせ、その係合部１３を収納凹部７のガイド溝８、８の上端部に移動させると、ガイド溝８のくさび部１６に係合部１３が挟持され、吊り下げ片３が収納凹部７の上端部で保持される。保持された吊り下げ片３は、その吊り下げ孔１２がケース１の上端から突き出しているので、この吊り下げ孔１２に吊り下げ棒３０を通して、商品陳列ケースを傾けることなく容易に吊り下げることできる。なお、図５（ｂ）に示すように、前記ガイド溝８と連通する成形穴１５は、前記ケース１のガイド溝８を押出し成形で形成するためのものである。
【００２７】
上記ケース１に嵌め合わせられる蓋２は、図２に示すように、透明のプラスチック製であり、上記ケース１の背面板５と同形の前面板９の外縁に側壁１１が突き出して設けられたものである。この側壁１１は、上記ケース１の側壁と同じ高さに形成される。これにより、この蓋２をケース１に嵌め合わせることができる。
【００２８】
上記ケース１の収納凹部７に取り付けられる吊り下げ片３は、図３に示すように、板状に形成され、上端部分にはフック部となる吊り下げ孔１２が、下端部分には二股に形成された係合部１３、１３がそれぞれ左右方向に突き出して設けられたものである。この吊り下げ片３の幅ｂは、上記ケースの収納凹部７の左右方向の幅ａよりも小さく設定され、かつ係合部１３、１３の外側の幅ｃは、上記ケースの収納凹部７の左右方向の幅ａよりも大きく設定される。これにより、吊り下げ片３の係合部１３、１３を、互いに内向きにたわませて収納凹部７のガイド溝８、８に係合させると、吊り下げ片３を収納凹部７内で所定のスライド範囲ｈをもって上下方向にスライドさせることができる（図４、図５参照）。なお、前記吊り下げ片３の上端部の吊り下げ孔１２を、鉤状のフック部としてもよい。
【００２９】
また、上記吊り下げ片３は、図３に示すように、その上下方向の長さｅが上記ケース１の収納凹部７の長さｄよりも短く設定され、かつ、その各係合部１３、１３の突き出した部分の上端部から吊り下げ孔１２の下端部までの距離ｇが、前記収納凹部７のガイド溝８上端部から収納凹部７上端部までの距離ｆよりも長く設定される。
【００３０】
上記の設定により、前記吊り下げ片３を収納凹部７の上端に引き上げると、吊り下げ片３の吊り下げ孔１２が前記ケース１の上端部よりも上に位置することとなる。このため、この突き出した吊り下げ片３の吊り下げ孔１２に吊り下げ棒３０を通すことで商品陳列ケースを吊り下げて陳列することができる。一方、前記吊り下げ片３を収納凹部７の下端に押し下げると、吊り下げ片３の上端部が前記ケース１の上端部から突出しない（図４、図５参照）。このため、この商品陳列ケースを多数重ねて梱包しても、その梱包容積は、重ねた商品陳列ケース自体の容積分ですみ、余分な梱包容積を省くことができる。
【００３１】
上記ケース１の左右両側壁６の内側には、図２に示すように、対向するガイド部１４が
設けられる。この各ガイド部１４には、上記商品陳列ケースを吊り下げた状態での前後方向に溝が設けられ、この溝に仕切り板４が着脱自在に差し込まれる。これにより、所定の長さを有する商品を前記仕切り板４とケース１下面との間で複数個揃えて収納することができる。また、前記仕切り板４を取り外して、ケース１の商品収納スペースを大きくして、長さの異なる商品を混在して収納することもできる。
【００３２】
商品陳列ケースは、以上のように構成されるものであり、次にその使用方法を説明する。
まず、上記吊り下げ片３の各係合部１３を互いに接近する内向きにたわませて、吊り下げ孔１２を上向きにして、係合部１３をケース１の収納凹部７のガイド溝８、８に係合させる。これにより、この吊り下げ片３を収納凹部７で上下方向にスライドさせることができる。
【００３３】
次に、必要に応じて仕切り板４をケース１のガイド部１４に差し込み、陳列する商品をケース１内に収納して、蓋２をケース１に嵌め合わせる。その後、ケース１から蓋２が外れないようにするために粘着テープなどで固定する。
【００３４】
次に、図６に示すように、吊り下げ片３を上向きにスライドさせる。上記収納凹部７のガイド溝８は、上述のように、その開口幅が上端部に向かって小さくなるように形成されているので、吊り下げ片３が収納凹部７の上端部にスライドされると、吊り下げ片３が収納凹部７の上端部で保持される。
【００３５】
上記収納凹部７の上端部で保持された吊り下げ片３は、その吊り下げ孔１２がケース１から上方に突き出しているものである。このため、商品陳列台などの吊り下げ棒３０に吊り下げ孔１２を通し、商品陳列ケースを傾けることなく吊り下げて陳列することができるので、商品陳列ケースを吊り下げる際の作業性が向上する（図１参照）。
【００３６】
また、図４、図５に示すように、吊り下げ片３を下端までスライドさせると、この吊り下げ片３はケース１の上端から突き出さない。このため、商品を収納した商品陳列ケースを梱包するために積み重ねても、その梱包容積は、重ねた商品陳列ケース自体の容積分ですみ、余分な梱包容積を省くことができる。
【図面の簡単な説明】
【００３７】
【図１】実施形態の商品陳列ケースを示す斜視図
【図２】同上の商品陳列ケースの蓋側前方から見た分解斜視図
【図３】同上の商品陳列ケースのケース側背面から見た分解斜視図
【図４】同上の吊り下げ片が下端に移動した状態を示す斜視図
【図５】（ａ）同上の図４のＡ−Ａ線における商品陳列ケースの断面図、（ｂ）同上の図４のＢ−Ｂ線における商品陳列ケースの断面図
【図６】同上の商品陳列ケースの吊り下げ片収納凹部の拡大斜視図
【符号の説明】
【００３８】
１  ケース
２  蓋
３  吊り下げ片
４  仕切り板
５  背面板
６  側壁
７  吊り下げ片収納凹部
８  ガイド溝
９  前面板
１１  側壁
１２  吊り下げ孔
１３  係合部
１４  ガイド部
１５  成形穴
１６  くさび部
【図１】
2007161338.tif 000003
【図２】
2007161338.tif 000004
【図３】
2007161338.tif 000005
【図４】
2007161338.tif 000006
【図５】
2007161338.tif 000007
【図６】
2007161338.tif 000008